(57)【要約】【課題】在室者の有無を適切に判断して、空調装置による無駄なエネルギー消費を防止することができ、安価に導入することができる空調管理用機器及び空調管理システムを提供する。【解決手段】照明装置４に接続されて、点灯状態と消灯状態との間で動作状態が変化する照明装置４の状態変化を検出する状態変化検出手段５と、状態変化検出手段５の検出結果に基づいて、照明装置４の照明対象域Ｓの空気調整を行う空調装置３の運転状態を制御する空調装置制御手段６とを備えた。【選択図】図１
2014209039.tif 000002
【特許請求の範囲】
【請求項１】
照明装置に接続されて、点灯状態と消灯状態との間で動作状態が変化する当該照明装置の状態変化を検出する状態変化検出手段と、
前記状態変化検出手段の検出結果に基づいて、前記照明装置の照明対象域の空気調整を行う空調装置の運転状態を制御する空調装置制御手段とを備えた空調管理用機器。
【請求項２】
前記空調装置制御手段は、
前記状態変化検出手段の検出結果が前記照明装置の点灯動作であった場合に、前記空調装置を始動操作し、
前記状態変化検出手段の検出結果が前記照明装置の消灯動作であった場合に、前記空調装置を停止操作する請求項１記載の空調管理用機器。
【請求項３】
所定の無効時間帯の入力を受け付ける無効時間帯入力手段を備え、
前記空調装置制御手段は、前記無効時間帯入力手段で入力を受け付けた所定の無効時間帯において、前記空調装置に対する運転状態の制御を停止する請求項１又は２に記載の空調管理用機器。
【請求項４】
前記空調装置制御手段は、前記照明装置の消灯動作が検出された時から所定の設定連続消灯時間の経過後に、前記空調装置を停止操作する請求項１〜３の何れか一項に記載の空調管理用機器。
【請求項５】
前記状態変化検出手段の検出結果、及び、前記照明装置の照明対象域の空気調整を行う前記空調装置の運転状態に基づいて、当該空調装置の運転に関連する情報を出力する情報出力手段を備えた請求項１〜４の何れか一項記載の空調管理用機器。
【請求項６】
照明装置と、当該照明装置の照明対象域の空調を行う空調装置と、前記照明装置に接続される請求項１〜５の何れか一項に記載の空調管理用機器とから構成され、当該空調管理用機器に備えられる前記空調装置制御手段により前記空調装置の運転状態が制御される空調管理システム。
【請求項７】
照明装置と、当該照明装置の照明対象域の空調を行う空調装置と、前記照明装置に接続される請求項３に記載の空調管理用機器とから構成され、当該空調管理用機器に備えられる前記空調装置制御手段により前記空調装置の運転状態が制御される構成で、
前記照明対象域における時系列での利用予定を記憶した記憶手段を備え、
前記記憶手段に記憶された前記照明対象域における時系列での前記利用予定に関し、前記無効時間帯入力手段は、前記照明対象域における前記利用予定に示された利用時間帯を、前記入力を受け付けた所定の無効時間帯とする空調管理システム。
【発明の詳細な説明】
【技術分野】
【０００１】
本発明は、空調装置の運転状態を制御する空調管理用機器及び空調管理システムに関する。
【背景技術】
【０００２】
従来の空調管理システムとして、例えば、下記の特許文献１には、在室者の有無を判断可能な人感センサが設けられた空調装置が使用され、人感センサによる在室者の有無の検出に基づいて、空調装置の風量を段階的に可変制御する空調管理システムが開示されている。
【先行技術文献】
【特許文献】
【０００３】
【特許文献１】特開２００６−１２５７２７号公報
【発明の概要】
【発明が解決しようとする課題】
【０００４】
しかしながら、特許文献１に開示の空調管理システムでは、人が人感センサの検出範囲を通過しただけであっても、その検出範囲に在室者がいると判断されて空調装置の風量が増加されることがあるので、人が一時的に人感センサの検出範囲を通過することで、空調装置の風量が増加され、無駄にエネルギーが消費されるという問題がある。また、人感センサが高価であるため、人感センサが設けられた空調管理システムを導入するためのコストが高くなるという問題がある。
【０００５】
また、人感センサが設置されていない既設の空調装置を備えた空調管理システムに、人感センサを追加で設置して、この人感センサにより在室者の有無を判断して空調装置を制御する場合にも、上述の如く人感センサが高価であるため、人感センサが設けられた空調管理システムを導入する場合と同様に、コストが高くなるという点が問題となる。
【０００６】
本発明は、かかる点に着目してなされたものであり、その目的は、在室者の有無を適切に判断して、空調装置による無駄なエネルギー消費を防止することができ、安価に導入することができる空調管理用機器及び空調管理システムを提供することにある。
【課題を解決するための手段】
【０００７】
この目的を達成するための本発明に係る空調管理用機器の第１特徴構成は、
照明装置に接続されて、点灯状態と消灯状態との間で動作状態が変化する当該照明装置の状態変化を検出する状態変化検出手段と、
前記状態変化検出手段の検出結果に基づいて、前記照明装置の照明対象域の空気調整を行う空調装置の運転状態を制御する空調装置制御手段とを備えた点にある。
【０００８】
上記空調管理用機器の第１特徴構成によれば、照明装置の点灯状態と消灯状態との間の状態変化に応じて、空調装置の運転状態を制御することができる。例えば、照明装置が点灯状態である時は、照明対象域に在室者がいると判断して、その照明対象域の空気調整を行う空調装置の運転を実施して在室者の快適性を確保することができる。一方、照明装置が消灯状態である時は、照明対象域に在室者がいないと判断して、その照明対象域の空気調整を行う空調装置の運転を停止して無駄なエネルギー消費を防止することができる。なお、空気調整とは、空気の温度及び空気に含まれる成分の調整することであり、例えば、冷房暖房、除湿加湿、除塵除菌等を行うことである。
また、このように在室者の有無を照明装置の状態変化に基づいて適切に判断して、空調装置の運転制御を行うことができるので、例えば、高価な人感センサ等を設けて在室者の有無を判断する必要がなく、安価に導入することができる。
【０００９】
また、室内に複数の照明装置及び空調装置が設けられている場合では、夫々の照明装置の照明対象域の空気調整を行う空調装置の運転状態を、夫々の照明装置の状態変化の検出結果に基づいて独立に制御することで、例えば、照明装置の状態変化に基づいて在室者がいると判断される一部の照明対象域の空調設備の運転を実施して在室者の快適性を確保しつつ、残りの照明対象域の空調装置の運転を停止して無駄なエネルギー消費を防止することができる。
【００１０】
本発明に係る空調管理用機器の第２特徴構成は、上記空調管理用機器の第１特徴構成に加えて、
前記空調装置制御手段は、
前記状態変化検出手段の検出結果が前記照明装置の点灯動作であった場合に、前記空調装置を始動操作し、
前記状態変化検出手段の検出結果が前記照明装置の消灯動作であった場合に、前記空調装置を停止操作する点にある。
【００１１】
上記空調管理用機器の第２特徴構成によれば、状態変化検出手段が、照明装置が消灯状態から点灯状態となる点灯動作を検出すると、空調装置を始動操作するので、在室者が消灯状態にある照明装置を点灯状態にするだけで空調装置を始動することができる。一方、状態変化検出手段が、照明装置が点灯状態から消灯状態となる消灯動作を検出して空調装置を停止操作するので、在室者が点灯状態にある照明装置を消灯状態にするだけで空調装置を停止することができる。
即ち、この構成では、照明装置の動作状態の変化を検出することで、空調装置の運転を管理できる。
【００１２】
本発明に係る空調管理用機器の第３特徴構成は、上記空調管理用機器の第１乃至第２特徴構成の何れかに加えて、
所定の無効時間帯の入力を受け付ける無効時間帯入力手段を備え、
前記空調装置制御手段は、前記無効時間帯入力手段で入力を受け付けた所定の無効時間帯において、前記空調装置に対する運転状態の制御を停止する点にある。
【００１３】
上記空調管理用機器の第３特徴構成によれば、所定の無効時間帯において空調装置に対する運転状態の制御を停止することができる。よって、所定の無効時間帯においては、照明装置の点灯動作が検出された場合でも、空調装置が停止された状態に維持することができ、一方、照明装置の消灯動作が検出された場合でも、空調装置が運転された状態に維持することができる。
即ち、この構成では、無効時間帯においては、照明に対応した空調装置制御手段による空調装置の運転状態管理を外すことができる。
【００１４】
本発明に係る空調管理用機器の第４特徴構成は、上記空調管理用機器の第１乃至第３特徴構成の何れかに加えて、
前記空調装置制御手段は、前記照明装置の消灯動作が検出された時から所定の設定連続消灯時間の経過後に、前記空調装置を停止操作する点にある。
【００１５】
上記空調管理用機器の第４特徴構成によれば、在室者が照明装置を消灯してから所定の設定連続消灯時間の経過後に空調装置の運転が停止されるので、例えば、在室者が照明装置を消灯してから、その在室者が照明対象域としての室内から退室するまでの時間を所定の設定連続消灯時間とすることで、在室者が室内から退室するまで空調装置の運転が継続されるので、在室者の快適性を維持することができる。
【００１６】
本発明に係る空調管理用機器の第５特徴構成は、上記空調管理用機器の第１乃至第４特徴構成の何れかに加えて、
前記状態変化検出手段の検出結果、及び、前記照明装置の照明対象域の空気調整を行う前記空調装置の運転状態に基づいて、当該空調装置の運転に関連する情報を出力する情報出力手段を備えた点にある。
【００１７】
上記空調管理用機器の第５特徴構成によれば、状態変化検出手段の検出結果及び空調装置の運転状態に基づいて、空調装置の運転に関連する情報を出力する情報出力手段を備えるので、在室者は、空調装置制御手段により空調装置が制御される前或いはその後に、情報出力手段によって出力される情報を確認することができる。よって、この情報出力手段によって出力される情報に基づいて、空調装置制御手段により空調装置を制御する状態とするか、又は、空調装置制御手段により空調装置を制御することを中止して、在室者が空調装置の操作スイッチを直接操作すること等により、在室者自身によって空調装置を操作する状態とするかを選択することができる。
【００１８】
この目的を達成するための本発明に係る空調管理システムの第１特徴構成は、
照明装置と、当該照明装置の照明対象域の空調を行う空調装置と、前記照明装置に接続される本発明に係る空調管理用機器とから構成され、当該空調管理用機器に備えられる前記空調装置制御手段により前記空調装置の運転状態が制御される点にある。
【００１９】
上記空調管理システムの第１特徴構成によれば、上述の空調管理用機器の第１特徴構成における作用効果と同様に、在室者の有無を照明装置の状態変化に基づいて適切に判断して、空調装置による無駄なエネルギー消費を防止することができ、例えば、在室者を検出する高価な人感センサなどを設ける必要がなく、安価に導入することができる。
【００２０】
この目的を達成するための本発明に係る空調管理システムの第２特徴構成は、
照明装置と、当該照明装置の照明対象域の空調を行う空調装置と、前記照明装置に接続される本発明に係る空調管理用機器の上記第３特徴構成とを備えて構成され、当該空調管理用機器に備えられる前記空調装置制御手段により前記空調装置の運転状態が制御される構成で、
前記照明対象域における時系列での利用予定を記憶した記憶手段を備え、
前記記憶手段に記憶された前記照明対象域における時系列での前記利用予定に関し、前記無効時間帯入力手段は、前記照明対象域における前記利用予定に示された利用時間帯を、前記入力を受け付けた所定の無効時間帯とする点にある。
【００２１】
上記空調管理システムの第２特徴構成によれば、無効時間帯入力手段に対して直接に無効時間帯を入力しなくても、記憶手段に照明対象域における時系列での利用予定を記憶させることで、その利用予定に示された利用時間帯を、無効時間帯入力手段において入力を受け付けた無効時間帯とすることができる。例えば、パソコン等によって、所定の照明対象域における時系列での利用予定としてのデータファイルを予め作成し、そのデータファイルを記憶手段に記憶させることで、データファイルに示された利用時間帯を、無効時間帯入力手段において入力を受け付けた所定の照明対象域における所定の無効時間帯とすることができる。
【図面の簡単な説明】
【００２２】
【図１】空調管理システムの概略構成図
【図２】点灯動作が検出された時の空調装置の運転状態の制御を示すフローチャート
【図３】消灯動作が検出された時の空調装置の運転状態の制御を示すフローチャート
【発明を実施するための形態】
【００２３】
本発明に係る空調管理システムの実施形態について、図面に基づいて説明する。
図１に示すように、本実施形態に係る空調管理システム１は、照明装置４と、この照明装置４の照明対象域Ｓの空調を行う空調装置３と、照明装置４に接続される空調管理用機器１ａとから構成されている。
【００２４】
照明装置４と空調装置３とは、室内２の天井面２ａに夫々複数設けられている。具体的には、室内２の天井面２ａに互いに近接した一対の空調装置３と照明装置４とが２組設けられている。そして、夫々の空調装置３によって、夫々の空調装置３と対を成す夫々の照明装置４の照明対象域Ｓの空気調整が行われる。また、夫々の照明対象域Ｓには、在室者が作業を行う机１４と椅子１５とが設けられている。ここで、空気調整とは、室内２の空気の温度、又は、空気中に含まれる成分の量を調整することであり、例えば、室内２の空気の、冷房暖房、除湿加湿、除塵、除菌等を行うことである。
【００２５】
また、室内２の側壁面２ｂには、在室者の操作によって空調装置３の空調運転を開始及び停止する空調スイッチ部９が設けられるとともに、照明装置４を点灯及び消灯する照明スイッチ部８が設けられている。
さらに、室内２の側壁面２ｂには、後述する無効時間帯入力手段１３に無効時間帯を入力する入力部１３ａ、及び、後述する情報出力手段１８から出力される情報を出力する出力部１８ａが設けられている。
【００２６】
空調装置３は、例えば、図示しないエアフィルタ、熱交換器、給気用送風機を備え、空調吹出口３ｖから室内２に空調後の空気が吹き出すように構成されている。空調吹出口３ｖより吹き出す風量は、空調装置３内の給気用送風機の回転数の制御により調節が可能となっている。また、空調装置３は、室内２の空気調整の目的に応じて運転切替が可能に構成されている。
【００２７】
空調スイッチ部９は、図示しない電源供給線により空調装置３に供給する電源を断続可能に構成されている。また、空調スイッチ部９と空調装置３とは、運転制御のための制御信号を送受信可能な空調用通信線１２を介して接続され、空調スイッチ部９の操作により空調装置３の運転の開始及び停止に加え、設定風量、設定温度の変更等の運転制御が可能に構成されている。また、空調スイッチ部９は、夫々の空調装置３ごとに設けられ、夫々の空調装置３を独立して運転制御することが可能に構成されている。
なお、空調用通信線１２に替えて、赤外線等を用いた無線の通信手段によって空調スイッチ部９と空調装置３との間で運転制御のための制御信号を送受信可能に構成してもよい。
【００２８】
照明装置４は、その光源を、例えば蛍光灯、ＬＥＤ、電球等として構成され、夫々の照明装置４の照明対象域Ｓに設けられた机１４において在室者が作業することが可能となるように照明対象域Ｓを照らすことができる。
【００２９】
照明スイッチ部８は、照明装置４に供給する電源を断続可能に構成されたスイッチである。照明スイッチ部８と照明装置４とは電気線１１を介して接続され、照明スイッチ部８における操作によって、電気線１１によって照明装置４に電源を供給する点灯状態とするか、照明装置４に電源が供給されない消灯状態とするかを切り替え可能に構成されている。また、照明スイッチ部８は、夫々の照明装置４ごとに設けられ、照明装置４を個別に点灯及び消灯することが可能に構成されている。
【００３０】
以下、空調管理用機器１ａについて説明する。
空調管理用機器１ａは、点灯状態と消灯状態との間で動作状態が変化する照明装置４の状態変化を検出する状態変化検出手段５と、この状態変化検出手段５の検出結果に基づいて、照明装置４の照明対象域Ｓの空気調整を行う空調装置３の運転状態を制御する空調装置制御手段６とを備えている。ここで、状態変化検出手段５及び空調装置制御手段６は制御部７によって機能するように構成されている。
【００３１】
状態変化検出手段５は、電気線１１、照明スイッチ部８及び動作状態検出用通信線１６を介して夫々の照明装置４に接続され、最終的には各照明装置４からの動作状態の情報（点灯状態にあるか、消灯状態にあるか、さらには消灯状態から点灯状態に動作状態が変化したか、点灯状態から消灯状態に動作状態が変化したかの情報）を取得可能に構成されている。このような動作状態の情報或いは動作情報の変化を取得可能となっている構成を、本願では「接続されている」と記載する。
【００３２】
この状態変化検出手段５によって検出される照明装置４の状態変化の検出結果に基づいて、空調装置制御手段６は空調装置３の運転状態を制御する。つまり、状態変化検出手段５によって検出される照明装置４の状態変化の検出結果が、消灯状態から点灯状態となる点灯動作を検出した場合は、空調装置制御手段６は、空調装置３を始動操作する。一方、状態変化検出手段５によって検出される照明装置４の状態変化の検出結果が、点灯状態から消灯状態となる消灯動作を検出した場合は、空調装置制御手段６は、空調装置３を停止操作する。
【００３３】
具体的には、図１において室内２の右側に位置する一対の空調装置３と照明装置４としての第１照明装置４ａと第１空調装置３ａとが、第１照明装置４ａの状態変化の検出結果に基づいて、第１照明装置４ａの第１照明対象域Ｓａの空気調整を行う第１空調装置３ａの運転状態を制御することができ、同様に、図１において室内２の左側に位置する一対の空調装置３と照明装置４としての第２照明装置４ｂと第２空調装置３ｂとが、第２照明装置４ｂの状態変化の検出結果に基づいて、第２照明装置４ｂの第２照明対象域Ｓｂの空気調整を行う第２空調装置３ｂの運転状態を制御することができる。
【００３４】
また、空調装置制御手段６は、状態変化検出手段５により消灯動作が検出された時から所定の設定連続消灯時間の経過後に、空調装置３を停止操作するように構成されている。所定の設定連続消灯時間の入力は、所定の設定連続消灯時間を設定する一対の空調装置３と照明装置４を指定して、室内２に設けられた入力部１３ａから空調装置制御手段６に入力可能に構成されている。
これにより、在室者が照明装置４を消灯した後も所定の設定連続消灯時間が経過するまで空調装置３の運転が継続されるので、その在室者が退出準備をして室内２から退室するまでの間、室内２を空気調整された快適な状態に維持することができる。
【００３５】
一方、状態変化検出手段５により消灯動作が検出された時から所定の設定連続消灯時間が経過するまでに、状態変化検出手段５により照明装置４が点灯状態になったことが検出されると、空調装置制御手段６による停止操作が実行されないように構成されている。よって、在室者が照明装置４を消灯した場合においても、所定の設定連続消灯時間が経過するまでに照明装置４を再度点灯することで、空調装置３が停止されることが回避されるので、誤って照明装置４を消灯してしまった場合でも、所定の設定連続消灯時間が経過するまでに再度照明装置４を点灯することで、空調装置３が停止することなく、室内２を快適な温度に維持することができる。
【００３６】
さらに、空調装置制御手段６は、無効時間帯入力手段１３で入力を受け付けた所定の無効時間帯において、空調装置３に対する運転状態の制御を停止するように構成されている。この所定の無効時間帯についても、所定の無効時間帯を設定する一対の空調装置３と照明装置４を指定して、室内２に設けられた入力部１３ａから空調装置制御手段６に入力可能に構成されている。空調装置制御手段６は、停止操作を行う空調装置３に関する一対の空調装置３と照明装置４の予め入力された所定の無効時間帯において空調装置３に対する運転状態の制御を停止する。
【００３７】
制御部７には、照明対象域Ｓにおける時系列での利用予定としての利用予定データファイルを記憶した記憶手段１９が備えられている。記憶手段１９はコンピューター２０とネットワーク回線等によって接続されており、コンピューター２０から記憶手段１９に記憶されている利用予定データファイルを編集可能に構成されている。
【００３８】
また、記憶手段１９と無効時間帯入力手段１３とが制御部７内において情報交換可能に構成され、記憶手段１９に記憶された利用予定データファイルに関し、無効時間帯入力手段１３は、照明対象域Ｓにおける利用予定データファイルに示された利用時間帯を、入力を受け付けた所定の無効時間帯とする。
【００３９】
例えば、会議室等でプロジェクターを使用する際に室内２の第１照明対象域Ｓａの第１照明装置４ａを消灯する場合に、その会議時間を利用予定データファイルにおいて利用時間帯として示すことで、又は、昼休み等で事務室等の室内２の第１照明対象域Ｓａの第１照明装置４ａを消灯する場合に、昼休みの時間を利用時間帯として示すことで、会議時間や昼休みの時間において第１空調装置３ａが空調装置制御手段６によって停止操作されないようにすることができ、第１照明装置４ａを消灯した状態で、第１空調装置３ａの運転を継続することができる。
一方、第１空調装置３ａの運転と独立して第２空調装置３ｂの運転ができるので、第２照明装置４ｂと第２空調装置３ｂについて無効時間帯が設定されていない場合には、第２照明装置４ｂの状態変化の検出結果に基づいて、第２空調装置３ｂの運転状態を制御することができる。
【００４０】
また、状態変化検出手段５による照明装置４の状態変化の検出結果、及び、照明装置４の照明対象域Ｓの空気調整を行う空調装置３の運転状態に基づいて、空調装置３の運転に関連する情報を出力部１８ａに出力する情報出力手段１８を備えている。
【００４１】
具体的には、情報出力手段１８は出力部１８ａに、状態変化検出手段５の検出結果が、照明装置４の点灯動作であるか、又は、照明装置４の消灯動作であるかを出力する。また、空調装置３の運転状態及び室内２の温度、湿度等を出力する。出力部１８ａからの出力は、表示出力及び音声出力の何れか一方、又は両方であってもよい。
【００４２】
これにより、在室者は出力部１８ａに出力された内容を確認して、空調装置制御手段６による空調装置３の制御を解除するか否かを判断することができる。そして、空調装置制御手段６による制御を解除するときは、在室者が入力部１３ａに設けられた空調装置制御手段６による制御の解除ボタン（図示せず）を押して解除することができる。その後、在室者の所望の空気調整が実施されるように、在室者が空調スイッチ部９から空調装置３の運転状態を設定することができる。
【００４３】
次に、一対の空調装置３と照明装置４に関して、状態変化検出手段５によって照明装置４の状態変化が検出された時の空調装置３の動作を図２及び図３に基づいて説明する。
【００４４】
図２のフローチャートに基づいて、照明装置４の点灯動作が検出された時の空調装置３の運転状態の制御を示す。
在室者によって照明スイッチ部８が操作されて、状態変化検出手段５によって照明装置４の点灯動作が検出されると（＃１０１）、その点灯動作が検出された時期（以下、点灯動作検出時期と言う）が、記憶手段１９に記憶されている所定の無効時間帯以外であるかが判定される（＃１０２）。
ここで、点灯動作検出時期が所定の無効時間帯以外であると判断された場合は、状態変化検出手段５が空調装置３の開始操作を実行して、空調装置３の運転を開始する（＃１０３）。一方、点灯動作検出時期が所定の無効時間帯に属する場合は、再度点灯状動作の検出が行われる（＃１０１）。
【００４５】
次に、図３のフローチャートに基づいて、照明装置４の消灯動作が検出された時の空調装置３の運転状態の制御を示す。
在室者によって照明スイッチ部８が操作されて、状態変化検出手段５によって照明装置４の消灯動作が検出されると（＃２０１）、その消灯動作から照明装置４が連続で消灯されている連続消灯時間Ｔｍが、制御部７に設けられた計時手段等によって計測される（＃２０２）。
【００４６】
次に、連続消灯時間Ｔｍが、記憶手段１９に記憶されている所定の設定連続消灯時間Ｔｓを経過したかが判断される（＃２０４）。ここで、連続消灯時間Ｔｍが所定の設定連続消灯時間Ｔｓを経過していると判断されるまでに、在室者によって照明スイッチ部８が再度操作されて、状態変化検出手段５によって照明装置４の点灯動作が検出されると（＃２０３）、連続消灯時間Ｔｍがリセットされて（＃２０６）、再度消灯動作の検出が行われる（＃２０１）。
一方、連続消灯時間Ｔｍが所定の設定連続消灯時間Ｔｓを経過していると判断されると、連続消灯時間Ｔｍが所定の設定連続消灯時間Ｔｓを経過していると判断された時期（以下、判断時期と言う）が、記憶手段１９に記憶されている所定の無効時間帯以外であるかが判定される（＃２０５）。
【００４７】
そして、判断時期が記憶手段１９に記憶されている所定の無効時間帯以外であるかの判定において（＃２０５）、判断時期が所定の無効時間帯以外であると判断された場合は、状態変化検出手段５が空調装置３の停止操作を実行して、空調装置３の運転を停止する（＃２０６）。一方、消灯動作を検出した時間が無効時間帯に属する場合は、連続消灯時間Ｔｍがリセットされて（＃２０６）、再度消灯動作の検出が行われる（＃２０１）。
【００４８】
〔その他の実施形態〕
最後に、本発明のその他の実施形態について説明する。なお、以下に説明する各実施形態の構成は、夫々単独で適用されるものに限られず、矛盾が生じない限り、他の実施形態の構成と組み合わせて適用することも可能である。
（１）上記実施形態では、一対の照明装置４と空調装置３とを２組設けたが、これに限らず、室内２に、一対の照明装置４と空調装置３とが、１組、又は、３組以上設けられていてもよい。
【００４９】
（２）上記実施形態では、単数の照明装置４と単数の空調装置３とを一対の照明装置４と空調装置３としたが、これに限らず、照明装置４と空調装置３の何れか又は両方を複数として一対の照明装置４と空調装置３を構成してもよい。
【００５０】
（３）上記実施形態では、記憶手段１９が制御部７に設けられたが、これに限らず、記憶手段１９をコンピューター２０に設けてもよい。この場合、例えば、記憶手段１９をコンピューター２０のハードディスク等としてもよく、ハードディスク等と無効時間帯入力手段１３が接続されていてもよい。
【００５１】
（４）上記実施形態では、空調装置３を停止操作するにあたり、照明装置４の消灯動作が検出されてから所定の設定連続消灯時間の経過後に、空調装置３を停止操作する例を示したが、これに限らず、このように所定の設定連続消灯時間を設けることによる遅延処理を行わなくてもよい。一方、空調装置３を始動操作するにあたり、照明装置４の点灯動作が検出されてから、このような遅延処理を伴って空調装置３を始動操作してもよい。
また、先に説明した、情報出力手段１８による出力部１８ａへの情報出力を、照明装置４の動作状態の変化に伴う空調装置３の制御に先行して行うこととしておくと在室者の判断を待って、空調装置３の制御を行うことが可能となる。
【００５２】
（５）上記実施形態では、所定の無効時間帯は室内２に設けられた入力部１３ａから入力可能な構成としたが、これに限らず、室内２に設けられた入力部１３ａから入力可能に構成されていなくてもよい。
【産業上の利用可能性】
【００５３】
以上説明したように、在室者の有無を適切に判断して、空調装置による無駄なエネルギー消費を防止することができ、安価に導入することができる空調管理用機器及び空調管理システムを提供することができる。
【符号の説明】
【００５４】
１      空調管理システム
１ａ    空調管理用機器
３      空調装置
４      照明装置
５      状態変化検出手段
６      空調装置制御手段
１３    無効時間帯入力手段
１８    情報出力手段
１９    記憶手段
Ｓ      照明対象域
Ｔｓ    設定連続消灯時間
【図１】
2014209039.tif 000003
【図２】
2014209039.tif 000004
【図３】
2014209039.tif 000005